(57)【要約】  テレビ受像機（１）のスピーカシステムにおける複数のスピーカはいずれも、音波の放射面側が互いに対向して配置されている少なくとも２個の同一のスピーカユニットであって、当該少なくとも２個のスピーカユニット同士の間隔がいずれのスピーカユニットの口径よりも大きいスピーカユニットを備えていることを特徴とする。
2011052543.tif 000002
【特許請求の範囲】
【請求項１】
ディスプレイにおける表示画面の両端の外側各々に配置された複数のスピーカを備えたスピーカシステムであって、
上記複数のスピーカはいずれも、音波の放射面側が互いに対向して配置されている少なくとも２個の同一のスピーカユニットであって、当該少なくとも２個のスピーカユニット同士の間隔がいずれのスピーカユニットの口径よりも大きいスピーカユニットを備えていることを特徴とするスピーカシステム。
【請求項２】
上記２個の対向して配置されているスピーカユニット同士の間隙から、上記スピーカユニットの音波の放射面と平行な方向において、少なくとも１８０度の方向に音波が放射されることを特徴とする請求項１に記載のスピーカシステム。
【請求項３】
上記複数のスピーカを支持する複数のスピーカ取付柱をさらに備えており、
上記複数のスピーカ取付柱はいずれも、その柱の全周の１８０度以下の部分が上記スピーカシステムに取り付けられていることを特徴とする請求項２に記載のスピーカシステム。
【請求項４】
上記ディスプレイにおける表示画面の端の外側に配置された音声を出力するスピーカをさらに備えており、
上記複数のスピーカ各々、および上記音声を出力するスピーカを結んだ多角形の重心は、上記ディスプレイの表示画面の内部に位置することを特徴とする請求項１から３のいずれか１項に記載のスピーカシステム。
【請求項５】
上記ディスプレイにおける表示画面の端の外側に配置された２個のパッシブラジエータを有するウーファーをさらに備えており、
上記２個のパッシブラジエータは、音波の放射面側が互いに対向して配置されていることを特徴とする請求項１から４のいずれか１項に記載のスピーカシステム。
【請求項６】
上記２個のパッシブラジエータは、上記ウーファーのエンクロージャに内蔵されていることを特徴とする請求項５に記載のスピーカシステム。
【請求項７】
上記ウーファーのエンクロージャは、上記ディスプレイの表示画面の端の外側におけるスピーカキャビネットに内蔵して固定されていることを特徴とする請求項６に記載のスピーカシステム。
【請求項８】
上記互いに対向して配置されている少なくとも２個の同一のスピーカユニット各々は、互いに近接した別々のエンクロージャに取り付けられていることを特徴とする請求項１から７のいずれか１項に記載のスピーカシステム。
【請求項９】
再生するコンテンツの情報を読み取り、上記読み取った情報に基づいて、上記複数のスピーカ各々、および上記音声を出力するスピーカ各々において出力する音を制御する音質設定部を備えていることを特徴とする請求項４に記載のスピーカシステム。
【請求項１０】
人物を特定するセンサーを備えており、
上記音質設定部は、上記センサーが感知した人物に基づいて音を制御することを特徴とする請求項９に記載のスピーカシステム。
【請求項１１】
請求項１から１０のいずれか１項に記載のスピーカシステムを備えた映像表示装置。
【請求項１２】
請求項１１に記載の映像表示装置を備えたテレビ受像機。
【発明の詳細な説明】
【技術分野】
【０００１】
本発明は、音を出力するスピーカを備えたスピーカシステム、映像表示装置、およびテレビ受像機に関するものである。
【背景技術】
【０００２】
近年、スピーカシステムを備えた映像表示装置は大型化している。このような大型化している映像表示装置の一例としてテレビ受像機（以降、ＴＶとも称する）がある。このような大型ＴＶにおいて、スピーカはＴＶ画面の下側もしくは左右外側、または下側と左右外側との両方に配置される。スピーカは、その振動面が画面と並行であり、画面と同じ向きすなわち正面を向くように配置されている。また、ＴＶの各ｃｈに、Ｌ（左）ｃｈ用のスピーカとＲ（右）ｃｈ用のスピーカとが１個以上配置されている。【０００３】
このような大型ＴＶにおいて、立体的な音響効果を得るために、右の耳に聴かせたくない音を打ち消す逆位相の制御信号をＬｃｈから出すクロストークキャンセル等を利用したバーチャルサウンドが用いられている。また、倍音を実音にミックスして音を強調するエンハンサーを搭載したＴＶもある。【０００４】
しかしながら、このような大型ＴＶにおいては、Ｌｃｈ用のスピーカとＲｃｈ用のスピーカとの間隔が広くなる。また、ＴＶ本体がバッフル板の効果を持つため、スピーカ正面から離れる程波面の分布は乱れてしまう。以上のことから、大型ＴＶにおいては、視聴位置次第で音響特性の変化が大きく異なってしまう。【０００５】
また、ＴＶの薄型化により、スピーカの振動がキャビネットに伝播することを原因とした不要な音が生じ易くなっている。この不要な音を防止する必要がある。【０００６】
特許文献１には、一対のスピーカユニットを同一直線上に向き合う形で配置することによって、より立体的な音像で聴ける高音質なスピーカが開示されている。【０００７】
また、特許文献２には、２つの音響交換ユニットの振動板を可及的近接させるように配置することによって、音波を水平方向又は垂直方向に効率的に放射させ無指向性とする無指向性音響変換器が開示されている。【０００８】
また、特許文献３には、音導管内部に高音用のスピーカを配置することによって、音像定位をコントロールし、内蔵したスピーカのみで、正確に音像定位したサラウンドを楽しめるテレビ受像機が開示されている。【０００９】
また、非特許文献１のように、ＴＶ画面の下側と左右外側とに、画面を囲むようにスピーカを配置し、クロストークキャンセル等を利用したバーチャルサウンドの効果を得るＴＶも普及している。
【先行技術文献】
【特許文献】
【００１０】
【特許文献１】日本国公開特許公報「特開２００５−３１８４８４号公報（公開日：２００５年１１月１０日）」
【特許文献２】日本国公開特許公報「特開平２−２６０８９９号公報（公開日：１９９０年１０月２３日）」
【特許文献３】日本国公開特許公報「特開２００１−３５９１９９号公報（公開日：２００１年１２月２６日）」
【非特許文献】
【００１１】
【非特許文献１】シャープ株式会社、“ＡＱＵＯＳ”、〔ｏｎｌｉｎｅ〕、〔平成２１年９月９日検索〕、インターネット<ＵＲＬ:http://www.sharp.co.jp/aquos/lineup/gx5_65/feature04.html>
【発明の概要】
【発明が解決しようとする課題】
【００１２】
しかし、上述した従来技術には次のような問題がある。【００１３】
特許文献１に記載の技術は、水平方向の無指向性は優れているが、一対のスピーカユニットを近接して配置しているため、垂直方向における無指向性が弱くなる。また、垂直方向に無指向性を得るためにバッフル面の曲面と曲面とでフロントホーンを形成する必要がある。【００１４】
また、特許文献２に記載の技術は、特許文献１の技術と同様に、２つの音響交換ユニットを近接して配置しているため、垂直方向における無指向性が弱くなる。【００１５】
また、特許文献３に記載の技術は、音導管を設けるため音圧の指向性が鋭い。このため、音導管の開口部の正面からずれると極端に音圧特性が変化してしまう。すなわち無指向性が得られない。【００１６】
また、非特許文献１のように、クロストークキャンセル等を利用したバーチャルサウンドの効果を得るＴＶにおいては、ＴＶが大型化するにつれて、視聴位置次第で音響特性の変化が大きく異なってしまう。【００１７】
本発明は上記の問題に鑑みてなされたものであり、その目的は、広い範囲において、音圧の周波数特性の変化が少ない、すなわち優れた無指向性を有する音を出力するスピーカシステムを提供することにある。
【課題を解決するための手段】
【００１８】
上記課題を解決するために、本発明に係るスピーカシステムは、ディスプレイにおける表示画面の両端の外側各々に配置された複数のスピーカを備えたスピーカシステムであって、上記複数のスピーカはいずれも、音波の放射面側が互いに対向して配置されている少なくとも２個の同一のスピーカユニットであって、当該少なくとも２個のスピーカユニット同士の間隔がいずれのスピーカユニットの口径よりも大きいスピーカユニットを備えていることを特徴とする。【００１９】
上記の構成によれば、本発明のスピーカシステムにおける、表示画面の両端の外側各々に配置された複数のスピーカはいずれも、音波の放射面側が互いに対向して配置されている少なくとも２個の同一のスピーカユニットであって、当該少なくとも２個のスピーカユニット同士の間隔がいずれのスピーカユニットの口径よりも大きいスピーカユニットを備えている。【００２０】
少なくとも２個の同一のスピーカユニットは音波の放射面側が互いに対向して配置されているため、無指向性を得ることができる。さらに、スピーカユニット同士の間隔は、いずれのスピーカユニットの口径よりも大きい。すなわち、スピーカユニット同士が接近し過ぎていないため、上記ディスプレイの縦方向である垂直方向においても優れた無指向性を得ることができる。これにより、クロストークキャンセル等を利用したバーチャルサウンドの効果を広い範囲で得ることができる。したがって、ユーザは、スピーカシステムの正面からずれた位置においても、優れた無指向性を有する音を聴くことができる。【００２１】
また、上記同一の２個のスピーカユニットは音波の放射面側が互いに対向して配置されているため、振動をキャンセルすることができる。これにより、スピーカ以外のキャビネットなどを原因とする不要な振動音を防止できる。したがって、大音量を原因とする筐体のビビリ音を防止できる。また、振動をキャンセルすることにより、スピーカシステムを備えた映像表示装置等の本体の振動によるドップラー効果を防止できる。【００２２】
以上により、スピーカシステムは、広い範囲において、音圧の周波数特性の変化が少ない、すなわち優れた無指向性を有する音を出力できるという効果を奏する。【００２３】
なお、上記スピーカシステムを備えた映像表示装置、および上記映像表示装置を備えたテレビ受像機も本発明の範疇に含まれる。【００２４】
本発明の他の目的、特徴、および優れた点は、以下に示す記載によって十分分かるであろう。また、本発明の利点は、添付図面を参照した次の説明で明白になるであろう。
【発明の効果】
【００２５】
本発明に係るスピーカシステムは、ディスプレイにおける表示画面の両端の外側各々に配置された複数のスピーカを備えたスピーカシステムであって、上記複数のスピーカはいずれも、音波の放射面側が互いに対向して配置されている少なくとも２個の同一のスピーカユニットであって、当該少なくとも２個のスピーカユニット同士の間隔がいずれのスピーカユニットの口径よりも大きいスピーカユニットを備えていることとを特徴としている。したがって、広い範囲において、音圧の周波数特性の変化が少ない、すなわち優れた無指向性を有する音を出力できる。
【図面の簡単な説明】
【００２６】
【図１】図１は本発明の実施形態を示すものであり、テレビ受像機の構成を示す図である。
【図２】図２は本発明の実施形態を示すものであり、Ｌｃｈ用スピーカの拡大図である。
【図３】図３は本発明の実施形態を示すものであり、周波数と音圧との関係を示すグラフである。
【図４】図４は本発明の実施形態を示すものであり、センターｃｈ用スピーカの拡大図である。
【図５】図５は本発明の実施形態を示すものであり、図中の（ａ）はウーファーの下面図であり、図中の（ｂ）は断面図である。
【図６】図６は本発明の実施形態を示すものであり、図中の（ａ）はテレビ受像機の上面図であり、図中の（ｂ）は断面図である。
【図７】図７は本発明の実施形態を示すものであり、テレビ受像機の他の構成を示す図である。
【図８】図８は本発明の実施形態を示すものであり、テレビ受像機の他の構成を示す図である。
【発明を実施するための形態】
【００２７】
本発明に係る一実施形態について、図１〜図８を参照して以下に説明する。
【００２８】
なお、本実施形態はスピーカシステムを備えたテレビ受像機１として説明するが本発明はこれに限定されない。すなわち、チューナを有しないモニター（表示ディスプレイ）にスピーカを取り付けて、プレゼンテーション用等の画像または映像を表示するといった、スピーカシステムを備えた映像表示装置一般も本発明の範疇に含まれる。
【００２９】
（テレビ受像機１の構成）
まず、本実施形態に係るスピーカシステムを備えたテレビ受像機１の構成について、図１を参照して説明する。図１は、テレビ受像機１の正面図である。この図に示すように、テレビ受像機１は、Ｌ（左）ｃｈ用スピーカ２、Ｒ（右）ｃｈ用スピーカ４、センターｃｈ用スピーカ６（第３のスピーカ）、ウーファー８、音質設定部１０、センサー１１、ディスプレイ１２、ウーファー８のスピーカキャビネット１３、並びにスピーカ取付柱１４および１４’を備えている。
【００３０】
Ｌｃｈ用スピーカ２は、正面からみてディスプレイ１２の左側の外側に配置されている。Ｒｃｈ用スピーカ４は、正面からみてディスプレイ１２の右側の外側に配置されている。Ｌｃｈ用スピーカ２およびＲｃｈ用スピーカ４各々は、スピーカ取付柱１４および１４’に取り付けられている。なお、テレビ受像機１は３．１ｃｈ用のスピーカを備えている。
【００３１】
（Ｌｃｈ用スピーカ２およびＲｃｈ用スピーカ４の無指向性）
次に、Ｌｃｈ用スピーカ２およびＲｃｈ用スピーカ４の無指向性について、図２を参照して説明する。図２は、Ｌｃｈ用スピーカ２の拡大図である。なお、Ｒｃｈ用スピーカ４の構成は、Ｌｃｈ用スピーカ２の構成と同様であり、同様の効果が得られる。この図に示すように、Ｌｃｈ用スピーカ２は、音波の放射面側が互いに対向して配置されている、同一の１インチ丸型の２個のスピーカユニットを備えている。なお、２個のスピーカユニット各々は、別々のエンクロージャ３および３’に囲まれている。
【００３２】
Ｌｃｈ用スピーカ２は、この構成により無指向性を得ることができる。さらに、スピーカユニット同士の間隔は、いずれのスピーカユニットの口径よりも大きい。すなわち、同一の２個のスピーカユニット同士が接近し過ぎていないため、ディスプレイ１２の縦方向である垂直方向においても優れた無指向性を得ることができる。これにより、クロストークキャンセル等を利用したバーチャルサウンドの効果を広い範囲において得ることができる。したがって、ユーザは、テレビ受像機の正面から左右にずれた位置においても、優れた無指向性を有する音を聴くことができる。これにより、多人数において視聴する場合においても各人が優れた無指向性を有する音を聴くことができる。
【００３３】
また、２個のスピーカは互いに対向して配置されているため、矢印Ａに示す方向における振動をキャンセルすることができる。これにより、スピーカ以外のキャビネットなどを原因とする不要な振動音を防止できる。したがって、大音量を原因とする筐体のビビリ音を防止できる。また、テレビ受像機１本体の振動によるドップラー効果も防止できる。
【００３４】
次に、Ｌｃｈ用スピーカ２およびＲｃｈ用スピーカ４によって得られる無指向性の効果について図３を参照して説明する。図３は、テレビ受像機１との相対位置ごとにおける、周波数と音圧との関係を示すグラフである。０度はテレビ受像機１の正面、また９０度はテレビ受像機１の真横の位置を示している。
【００３５】
このグラフに示すように、テレビ受像機１においては、１０ＫＨｚ（キロヘルツ）に近い高い周波数であっても、テレビ受像機１との相対位置次第で音圧特性が大きく異なることはない。換言すれば、広い範囲において音圧の周波数特性の変化が少ない。したがって、ユーザはどの位置においても優れた無指向性を有する音を聴くことができる。なお、図示はしないが、無指向性を得られないスピーカにおいては、１０ＫＨｚに近い高い周波数になると、テレビ受像機１に対する相対位置次第で音圧特性が大きく異なる。
【００３６】
次に、センターｃｈ用スピーカ６について図４を参照して説明する。図４は、センターｃｈ用スピーカ６の拡大図である。この図に示すセンターｃｈ用スピーカ６は、口径５０ｍｍ程度の丸型でありテレビ受像機１における略中央の下側に、そのＢＯＸが極小または直付けによってテレビ受像機１本体に取り付けられている。センターｃｈ用スピーカ６は、主に人の音声を出力するものである。モノラル成分はセンターｃｈ用スピーカ６から出力されるため、左右音像が広がる中において、人物の台詞などをディスプレイ１２中央から出力することができる。したがって、特に大型のテレビ受像機１において、ユーザが違和感を覚えることを防止できる。
【００３７】
また、テレビ受像機１において、Ｌｃｈ用スピーカ２、Ｒｃｈ用スピーカ４およびセンターｃｈ用スピーカ６は、その３点を結んだ三角形の重心が、ディスプレイ１２の表示画面の内部に位置するように配置されている。このように配置することにより、ユーザは音がディスプレイ１２の表示画面の内部から出力されているように感じることができる。なお、Ｌｃｈ用スピーカ２またはＲｃｈ用スピーカ４が複数ある場合には、全てのスピーカを結んだ多角形の重心がディスプレイ１２の表示画面の内部に位置するように配置される。
【００３８】
次に、ウーファー８について図５を参照して説明する。図５中の（ａ）は、主に低音を出力するウーファー８をテレビ受像機１の下から見た図であり、図５中の（ｂ）は、テレビ受像機１の正面から見た図である。図５中の（ｂ）に示すように、ウーファー８は、口径６０ｍｍ程度の丸型ユニットの１個のスピーカ１６と、音波の放射面側が互いに対向して配置された口径６０ｍｍ程度の丸型の２個のパッシブラジエータ１８および１８’と、エンクロージャ１９とを備えている。なお、実際にはデザイン的な理由により、ウーファー８はテレビ受像機１の内部に取り付けられているため外部からは見えない。
【００３９】
このように、２個のパッシブラジエータ１８および１８’は互いに対向して配置されているため、矢印Ｂに示す方向における振動をキャンセルすることができる。なお、テレビ受像機１においては、ウーファー８をテレビ受像機１正面から見て左に配置したが右に配置してもよい。また、左右両方に別々のウーファー８を配置してもよい。また、図５中の（ｂ）に示すように、ウーファー８を下向きに配置することにより、テレビ受像機１の額縁を細く見せることができる。また、２個のパッシブラジエータ１８および１８’は、上記ウーファー８のエンクロージャ１９に内蔵されていてもよい。また、エンクロージャ１９は、図１に示すスピーカキャビネット１３に内蔵して固定されてもよい。
【００４０】
次に、Ｌｃｈ用スピーカ２およびＲｃｈ用スピーカ４の配置について、図６を参照して説明する。図６中の（ａ）は、テレビ受像機１の上面図であり、図６中の（ｂ）は、テレビ受像機１を左横から見た断面図である。図６中の（ａ）に示すように、スピーカ取付柱１４’は、その４分の１がテレビ受像機１に取り付けられており、４分の３はむき出し、換言すれば空気に接触している。
【００４１】
このためＲｃｈ用スピーカ４から出力された音のうち、４分の１すなわち９０度の部分はバッフル板の効果を持つテレビ受像機１に反射してしまうが、４分の３すなわち２７０度はむき出し、換言すれば空気に接触している。このため、十分な無指向性を得ることができる。また、９０度の部分がテレビ受像機１に取り付けられているため、スピーカ取付柱１４’がテレビ受像機１本体から外れてしまうことはない。すなわち、スピーカ取付柱１４’をこのように取り付けることによって、音の無指向性とテレビ受像機１の頑丈さとを両立することができる。なお、スピーカ取付柱１４もスピーカ取付柱１４’と同様に９０度の部分がテレビ受像機１に取り付けられているため同様の効果を奏する。なお、上述した例においては、２７０度の部分が空気に接触しているが、例えば１８０度の部分が空気に接触し、１８０度の部分がテレビ受像機１に取り付けられてもよい。
【００４２】
また、Ｌｃｈ用スピーカ２およびＲｃｈ用スピーカ４は、スピーカ取付柱１４または１４’を用いずにテレビ受像機１に取り付けられてもよい。これを図７および図８を参照して説明する。
【００４３】
図７は、テレビ受像機１’の正面図である。Ｌｃｈ用スピーカ２はスピーカキャビネット２０に組み込まれており、スピーカネット２２からＬｃｈ用スピーカ２からの音波が放射される。このように、Ｌｃｈ用スピーカ２およびＲｃｈ用スピーカ４をテレビ受像機１’のスピーカキャビネット２０に取り付けてもよい。
【００４４】
また、図８は、テレビ受像機１’’の上面図である。図８に示すように、Ｌｃｈ用スピーカ２を、テレビ受像機１’’の板状のキャビネット２４にねじ止めして取り付けてもよい。このように取り付けることにより、矢印Ｃから左回りに矢印Ｃ’までの１８０度において音波を放射することができる。以上のように、Ｌｃｈ用スピーカ２およびＲｃｈ用スピーカ４の取り付けには、種々の方法が考えられる。
【００４５】
次に、音質設定部１０について説明する。音質設定部１０は、図１に示すように、回路基板としてテレビ受像機１の中に組み込まれており、映像用のメインチップであるＬＳＩ（大規模集積回路）と一体化されていたり、音声用のＬＳＩとして搭載されていたりする。
【００４６】
音質設定部１０は、再生するコンテンツの情報に基づいて、Ｌｃｈ用スピーカ２、Ｒｃｈ用スピーカ４、およびセンターｃｈ用スピーカ６から出力する音を制御することによって、ユーザにとって最適な音質を設定する。例えば、再生するコンテンツがニュースである場合に、主に音声を出力するセンターｃｈ用スピーカ６を強調することによって、ニュースを読むアナウンサーの声を聴き取り易くする。なおこの場合には、センターｃｈ用スピーカ６から出力する音の音像位置をＬｃｈ用スピーカ２およびＲｃｈ用スピーカ４の高さに擬似的に合わせる。
【００４７】
また、ボリューム位置が低音量の場合にセンターｃｈ用スピーカ６を強調したり、センターｃｈ用スピーカ６から出力する音がモノラルの場合に、Ｌｃｈ用スピーカ２およびＲｃｈ用スピーカ４のアンプ電力をＯＦＦにすることによって省電力化したりすることができる。また、リモコンの向きがディスプレイ１２の正面からずれている場合に、センターｃｈ用スピーカ６を強調する。
【００４８】
また、再生するコンテンツが２ｃｈ音楽である場合に、センターｃｈ用スピーカ６のアンプ電力をＯＦＦにすることによって省電力化できる。また、Ｌｃｈ用スピーカ２およびＲｃｈ用スピーカ４を制御することによって、音楽を快適に聴けるような音質に設定することもできる。同様に、再生するコンテンツが映画またはドラマである場合にもそれに応じた音質に設定できる。これにより、ユーザは再生するコンテンツに最適な音質を聴くことができる。
【００４９】
なお、コンテンツの情報を判断する手段は、例えば、デジタル放送に含まれる番組情報の中のジャンル情報から判断したり、実際の音声信号からスペクトラムの分布またはホルマント成分を分析することによって、音楽と会話とを分類した結果を利用したりすることができる。
【００５０】
また、音質設定部１０は、センサー１１が感知した情報に基づいて音質を設定することができる。例えば、センサー１１がカメラを備えた人物を感知するセンサーである場合に、センサーが感知した人物に応じて、音質設定部１０は音質を設定することができる。より具体的には、センサー１１はカメラにより撮像した人物の映像を分析し、その映像が予め登録してある人物のうちの父であると判定する。この場合に、音質設定部１０は、予め父用として登録してある音質に設定することができる。
（付記事項）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００５１】
〔実施形態の総括〕
以上のように、本発明に係るスピーカシステムは、上記２個の対向して配置されているスピーカユニット同士の間隙から、上記スピーカユニットの音波の放射面と平行な方向において、少なくとも１８０度の方向に音波が放射されることが好ましい。
【００５２】
上記の構成によれば、上記２個の対向して配置されているスピーカユニット同士の間隙から、上記スピーカユニットの音波の放射面と平行な方向において、少なくとも１８０度の方向に音波が放射される。少なくとも１８０度の方向に音波が放射されるため、十分な無指向性を得ることができるという更なる効果を奏する。
【００５３】
本発明に係るスピーカシステムは、上記複数のスピーカを支持する複数のスピーカ取付柱をさらに備えており、上記複数のスピーカ取付柱はいずれも、その柱の全周の１８０度以下の部分が上記スピーカシステムに取り付けられていることが好ましい。
【００５４】
上記の構成によれば、上記複数のスピーカ取付柱はいずれも、その柱の全周の１８０度以下の部分が上記スピーカシステムに取り付けられている。反対に言えば、その柱の全周の少なくとも１８０度以上の部分がむき出し、換言すれば空気に接触している。これにより、上記複数のスピーカ取付柱に取り付けられている上記複数のスピーカは、その少なくとも１８０度以上の部分がむき出し、換言すれば大気に接触している。このため、十分な無指向性を得ることができる。
【００５５】
また、１８０度以下例えば９０度の部分が上記スピーカシステムに取り付けられているため、上記複数のスピーカ取付柱がスピーカシステムから外れてしまうことはない。以上により、音の無指向性と上記スピーカシステムの頑丈さとを両立することができるという更なる効果を奏する。
【００５６】
本発明に係るスピーカシステムは、上記ディスプレイにおける表示画面の端の外側に配置された音声を出力するスピーカをさらに備えており、上記複数のスピーカ各々、および上記音声を出力するスピーカを結んだ多角形の重心は、上記ディスプレイの表示画面の内部に位置することが好ましい。
【００５７】
上記の構成によれば、スピーカシステムは音声を出力するスピーカを備えている。音声等のモノラル成分は上記第３のスピーカから出力されるため、左右音像が広がる中において、人物の台詞などを画面中央から出力することができる。したがって、特にスピーカシステム等を備えた大型の映像表示装置等において、ユーザが違和感を覚えることを防止できる。
【００５８】
また、上記複数のスピーカ各々、および上記音声を出力するスピーカを結んだ多角形の重心は、上記ディスプレイの表示画面の内部に位置する。このように配置することにより、ユーザは、上記ディスプレイの表示画面の内部から音が出力されているように感じる。したがって、ユーザは快適に音を聴くことができるという更なる効果を奏する。
【００５９】
本発明に係るスピーカシステムは、上記ディスプレイにおける表示画面の端の外側に配置された２個のパッシブラジエータを有するウーファーをさらに備えており、上記２個のパッシブラジエータは、音波の放射面側が互いに対向して配置されていることが好ましい。
【００６０】
上記の構成によれば、スピーカシステムは主に低音を出力するウーファーを備えている。また、上記２個のパッシブラジエータは、音波の放射面側が互いに対向して配置されているため、振動をキャンセルすることができるという更なる効果を奏する。
【００６１】
本発明に係るスピーカシステムにおいて、上記２個のパッシブラジエータは、上記ウーファーのエンクロージャに内蔵されていることが好ましい。
【００６２】
上記の構成によれば、上記２個のパッシブラジエータは、上記ウーファーのエンクロージャに内蔵されている。このため、スピーカシステム外部から、上記パッシブラジエータが視認されることはない。したがって、スピーカシステムの視認性が向上するという更なる効果を奏する。
【００６３】
本発明に係るスピーカシステムにおいて、上記ウーファーのエンクロージャは、上記ディスプレイの表示画面の端の外側におけるスピーカキャビネットに内蔵して固定されていることが好ましい。
【００６４】
上記の構成によれば、上記ウーファーのエンクロージャは、上記スピーカキャビネットに内蔵して固定されている。このため、スピーカシステム外部から、上記エンクロージャが視認されることはない。したがって、スピーカシステムの視認性が向上するという更なる効果を奏する。
【００６５】
本発明に係るスピーカシステムにおいて、上記互いに対向して配置されている少なくとも２個の同一のスピーカユニット各々は、互いに近接した別々のエンクロージャに取り付けられていることが好ましい。
【００６６】
上記の構成によれば、上記２個のスピーカユニットは、別々のエンクロージャに取り付けられている。したがって、上記２個のスピーカユニットを、別々のエンクロージャに取り付けられることができるという更なる効果を奏する。
【００６７】
本発明に係るスピーカシステムは、再生するコンテンツの情報を読み取り、上記読み取った情報に基づいて、上記複数のスピーカ各々、および上記音声を出力するスピーカ各々において出力する音を制御する音質設定部を備えていることが好ましい。
【００６８】
上記の構成によれば、上記音質設定部は、再生するコンテンツの情報に基づいて、上記複数のスピーカ各々、および上記音声を出力するスピーカ各々において出力する音を制御する。これにより、例えば、コンテンツがニュースである場合に、主に音声を出力する上記第３のスピーカを強調するといったように、上記コンテンツに応じた音質を設定することができる。すなわち、ユーザは個々のコンテンツに適した音を聴くことができる。また、再生するコンテンツに応じて使用しないスピーカのアンプ電力をＯＦＦにすることによって省電力化できるという更なる効果を奏する。
【００６９】
本発明に係るスピーカシステムは、人物を特定するセンサーを備えており、上記音質設定部は、上記センサーが感知した人物に基づいて音を制御することが好ましい。
【００７０】
上記の構成によれば、上記センサーは上記スピーカシステムを使用する人物を特定する。上記音質設定部は、上記センサーが特定した人物に基づいて音質を設定する。したがって、複数の人物の好みに応じた音質を設定できるという更なる効果を奏する。
【００７１】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内で、いろいろと変更して実施することができるものである。
【産業上の利用可能性】
【００７２】
本発明のスピーカシステムは、スピーカシステムを備えた大型化する映像表示装置一般等において好適に利用できる。
【符号の説明】
【００７３】
１、１’、１’’      テレビ受像機
２                    Ｌｃｈ用スピーカ（複数のスピーカ）
３、３’              スピーカユニットのエンクロージャ
４                    Ｒｃｈ用スピーカ（複数のスピーカ）
６                    センターｃｈ用スピーカ（音声を出力するスピーカ）
８                    ウーファー
１０                  音質設定部
１１                  センサー
１２                  ディスプレイ
１３                  ウーファーのスピーカキャビネット
１４、１４’          スピーカ取付柱
１６                  スピーカ
１８、１８’          パッシブラジエータ
１９                  ウーファーのエンクロージャ
２０                  Ｌｃｈ用スピーカのスピーカキャビネット
２２                  スピーカネット
２４                  板状のキャビネット
【図１】
2011052543.tif 000003
【図２】
2011052543.tif 000004
【図３】
2011052543.tif 000005
【図４】
2011052543.tif 000006
【図５】
2011052543.tif 000007
【図６】
2011052543.tif 000008
【図７】
2011052543.tif 000009
【図８】
2011052543.tif 000010
【国際調査報告】
2011052543.tif 000011
2011052543.tif 000012
2011052543.tif 000013
2011052543.tif 000014